(57)【要約】  本出願は、農産物供給システム及び方法、農産物の取引処理方法を開示する。該システムは、消費者端末からの選択命令を受信し、選択命令に基づいて運輸設備を確定し、消費者端末に、運輸設備に対応する認証コードを割り当てるサーバと、対象農産物の産地と対応するものであり、運輸設備に対する身分認証結果を取得し、身分認証結果が認証成功である場合、運輸設備の貨物投入口を開けるための制御命令を生成する監視設備と、対象農産物を格納する運輸設備と、を有する。本出願によって、従来の農産物の取引では消費者と農家との直接のつながりのないため農家の利益が比較に低く、消費者の消費金額が買い取った農産物の価値に見合わない技術的問題を解決することができる。【選択図】図１
2021501937.tif 000002
【特許請求の範囲】
【請求項１】
消費者端末からの、少なくとも対象農産物の産地を選択するための選択命令を受信し、前記選択命令に基づいて運輸設備を確定し、前記消費者端末に、前記運輸設備に対応する、消費者により前記運輸設備の貨物取出口を開けるための認証根拠となる認証コードを割り当てるサーバと、
前記対象農産物の産地と対応するものであり、前記運輸設備に対する身分認証結果を取得し、前記身分認証結果が認証成功である場合、前記運輸設備の貨物投入口を開けるための制御命令を生成する監視設備と、
前記対象農産物を格納する運輸設備と、を有する
ことを特徴とする農産物供給システム。
【請求項２】
前記監視設備は、前記運輸設備に対してスキャンを行って前記運輸設備の第１身分情報を取得し、前記第１身分情報に基づいて前記身分認証結果を得る
ことを特徴とする請求項１に記載の農産物供給システム。
【請求項３】
前記監視設備は、さらに、前記第１身分情報と予め取得した第２身分情報とを照合し、照合結果が一致である場合、前記運輸設備に対する認証が成功すると判断する
ことを特徴とする請求項２に記載の農産物供給システム。
【請求項４】
前記監視設備は、さらに、前記サーバから前記選択命令に基づいて確定された前記第２身分情報を受信することで前記第２身分情報を取得する
ことを特徴とする請求項３に記載の農産物供給システム。
【請求項５】
前記サーバは、前記消費者端末から送信された選択命令に基づいて、前記対象農産物の産地に対応する監視設備に前記第２身分情報を送信する
ことを特徴とする請求項４に記載の農産物供給システム。
【請求項６】
前記監視設備は、さらに、前記第１身分情報を前記サーバに送信し、
前記サーバは、さらに、前記第１身分情報と、前記選択命令に基づいて確定された前記第２身分情報とを照合し、照合結果に基づいて前記身分認証結果を得るとともに、前記身分認証結果を前記監視設備に送信し、前記照合結果が一致である場合、前記身分認証結果が認証成功であると判断する
ことを特徴とする請求項３に記載の農産物供給システム。
【請求項７】
前記サーバは、具体的に、前記第１身分情報を送信する監視設備の現在位置を取得し、前記監視設備の現在位置と前記選択命令から取得した対象農産物の産地とを照合して認証を行い、認証成功の場合、前記第１身分情報と前記選択命令に基づいて確定された前記第２身分情報とを照合し、照合結果に基づいて前記身分認証結果を得る
ことを特徴とする請求項６に記載の農産物供給システム。
【請求項８】
前記監視設備は、さらに、前記産地で前記農産物を収穫する収穫過程のマルチメディア情報を採取、記録し、前記マルチメディア情報を前記消費者端末又は前記サーバに送信する
ことを特徴とする請求項１〜７のいずれか１項に記載の農産物供給システム。
【請求項９】
前記農産物供給システムは、前記消費者端末をさらに有し、
前記消費者端末が、前記運輸設備又は前記対象農産物である目標対象における図形マークをスキャンし、スキャン結果に基づいて表示されたインターフェースにおいて前記マルチメディア情報を表示し、或いは、前記消費者端末における、前記対象農産物の注文内容を表示する注文書インターフェースにおいて前記マルチメディア情報を表示する
ことを特徴とする請求項８に記載の農産物供給システム。
【請求項１０】
前記選択命令は、前記対象農産物に対応する農家情報をさらに含む
ことを特徴とする請求項１〜９のいずれか１項に記載の農産物供給システム。
【請求項１１】
前記サーバは、さらに、前記農家情報に基づいて前記農家情報に対応する移動端末の識別子を確定し、前記移動端末の識別子が対応する移動端末へ通知メッセージを送信し、該通知メッセージにより、前記対象農産物を収穫する指示を農家に通知する
ことを特徴とする請求項１０に記載の農産物供給システム。
【請求項１２】
前記サーバは、さらに、前記移動端末からの位置情報を受信し、前記位置情報と前記産地とを照合し、一致である場合、前記監視設備に、前記身分認証結果を取得する命令を送信する
ことを特徴とする請求項１１に記載の農産物供給システム。
【請求項１３】
前記監視設備は、さらに、前記運輸設備の貨物投入口が開いた状態で前記運輸設備が前記監視設備の監視範囲外に移動されたと検出した場合、警報を発し、
又は、前記運輸設備が前記監視設備の監視範囲外に移動されたと検出した場合、前記運輸設備の前記貨物投入口を閉めるように制御し、前記運輸設備が前記監視範囲内に移動されたと再度検出したとき、前記運輸設備に対する身分認証結果を再度取得して前記運輸設備に対して認証を行うことを特徴とする
請求項１〜１２のいずれか１項に記載の農産物供給システム。
【請求項１４】
監視設備と、対象農産物を格納する運輸設備とを有し、
前記監視設備は、前記対象農産物の産地と対応するものであり、前記運輸設備に対する身分認証結果を取得し、前記身分認証結果が認証成功である場合、前記運輸設備の貨物投入口を開けるための制御命令を生成する
ことを特徴とする農産物供給システム。
【請求項１５】
前記監視設備は、さらに、前記運輸設備の貨物投入口が開いた状態で前記運輸設備が前記監視設備の監視範囲外に移動されたと検出した場合、警報を発し、又は、前記運輸設備が前記監視設備の監視範囲外に移動されたと検出した場合、前記運輸設備の前記貨物投入口を閉めるように制御し、前記運輸設備が前記監視範囲内に移動されたと再度検出したとき、前記運輸設備に対する身分認証結果を再度取得して前記運輸設備に対して認証を行う
ことを特徴とする請求項１４に記載の農産物供給システム。
【請求項１６】
サーバと、農家端末と、運輸設備とを有し、
前記サーバは、消費者端末からの、少なくとも対象農産物の産地を選択するための選択命令を受信し、前記選択命令に基づいて運輸設備を確定し、前記消費者端末に、前記運輸設備に対応する、消費者により前記運輸設備の貨物取出口を開けるための認証根拠となる第１認証コードを割り当て、
前記農家端末は、前記サーバに位置情報を送信するとともに前記サーバからの第２認証コードを受信し、前記第２認証コードに基づいて前記運輸設備の貨物投入口を開けるように制御し、
前記サーバは、さらに、前記位置情報と前記産地とを照合し、一致である場合、前記第２認証コードを前記農家端末に送信し、
前記運輸設備は、前記対象農産物を格納する
ことを特徴とする農産物供給システム。
【請求項１７】
サーバと、対象農産物を格納する運輸設備とを有し、
前記サーバは、消費者端末からの、少なくとも対象農産物の産地を選択するための選択命令を受信し、前記選択命令に基づいて前記運輸設備を確定し、前記消費者端末に、前記運輸設備に対応する、消費者により前記運輸設備の貨物取出口を開けるための認証根拠となる第１認証コードを割り当て、
前記運輸設備は、前記サーバに前記運輸設備の位置情報を送信するとともに前記サーバからの第２認証コードを受信し、前記第２認証コードに基づいて前記運輸設備の貨物投入口を開けるように制御し、
前記サーバは、さらに、前記位置情報と前記産地とを照合し、一致である場合、前記第２認証コードを前記運輸設備に送信する
ことを特徴とする農産物供給システム。
【請求項１８】
消費者端末からの、少なくとも対象農産物の産地を選択するための選択命令を受信するステップと、
前記選択命令に基づいて対象農産物を格納する運輸設備を確定するステップと、
前記消費者端末へ、前記運輸設備に対応する、消費者により前記運輸設備の貨物取出口を開けるための認証根拠となる認証コードを送信するステップとを含む
ことを特徴とする農産物の供給方法。
【請求項１９】
前記対象農産物の産地に対応する監視設備からの、前記監視設備が前記運輸設備をスキャンして取得した身分情報である第１身分情報を受信するステップと、
前記第１身分情報と、前記選択命令に基づいて確定された第２身分情報とを照合するステップと、
照合結果に基づいて前記運輸設備に対する身分認証結果を得るステップと、
前記運輸設備の貨物投入口を開ける制御命令を生成するための前記身分認証結果を前記監視設備に送信するステップと
をさらに含むことを特徴とする請求項１８に記載の農産物の供給方法。
【請求項２０】
監視設備により運輸設備に対してスキャンを行い、前記運輸設備の第１身分情報を取得するステップと、
前記監視設備により前記第１身分情報に対する認証結果を取得し、前記認証結果に基づいて前記運輸設備の貨物投入口の開閉を制御する制御命令を生成するステップと、
前記監視設備により前記制御命令を前記運輸設備に送信するステップと
を含むことを特徴とする農産物の供給方法。
【請求項２１】
前記監視設備により前記第１身分情報に対する認証結果を取得するステップは、
前記監視設備により、前記第１身分情報と、予め取得した第２身分情報とを照合し、照合結果に基づいて前記認証結果を得るように行われ、
又は、前記監視設備により、前記身分情報をサーバに送信し、前記サーバによる前記身分情報の認証結果を受信するように行われる
ことを特徴とする請求項２０に記載の農産物の供給方法。
【請求項２２】
前記監視設備により前記第１身分情報に対する認証結果を取得するステップは、
前記監視設備により前記監視設備の位置情報を受信し、前記位置情報をサーバに送信するステップと、
前記サーバにより前記位置情報と消費者が指定した産地とを照合し、一致である場合、前記第１身分情報に対して認証を行い、前記認証結果を前記監視設備に送信するステップと
を含むことを特徴とする請求項２０に記載の農産物の供給方法。
【請求項２３】
消費者からの、少なくとも対象農産物の産地を選択するための選択命令を受信するステップと、
サーバにより前記産地に基づいて確定された、前記対象農産物を格納する運輸設備の貨物取出口を開けるための認証根拠となる認証コードを受信するステップと、
前記認証コードに基づいて前記運輸設備の貨物取出口を開ける制御命令を生成し、前記制御命令を前記運輸設備に送信するステップと
を含むことを特徴とする農産物の取引処理方法。
【請求項２４】
前記対象農産物の前記産地で生成された、前記対象農産物の産地において前記対象農産物に対する操作の過程を示すマルチメディア情報を受信するステップと、
前記マルチメディア情報を表示するステップと
をさらに含むことを特徴とする請求項２３に記載の農産物の取引処理方法。
【請求項２５】
前記対象農産物の前記産地で生成されたマルチメディア情報を受信するステップは、
前記運輸設備又は前記対象農産物である目標対象における図形マークをスキャンし、スキャン結果に基づいて表示されたインターフェースにおいて前記マルチメディア情報を表示するように行われ、
又は、前記消費者端末における、前記対象農産物の注文内容を表示する注文書インターフェースにおいて前記マルチメディア情報を表示するように行われる
ことを特徴とする請求項２４に記載の農産物の取引処理方法。
【請求項２６】
前記選択命令は、前記対象農産物と対応する農家情報をさらに含む
ことを特徴とする請求項２３に記載の農産物の取引処理方法。
【請求項２７】
対象農産物を格納し、貨物取出口と貨物投入口が設けられる格納室と、
消費者端末からの第１開錠命令と、前記対象農産物の産地に対応する監視設備からの第２開錠命令とを受信する送受信回路と、
前記第１開錠命令に基づいて前記貨物取出口を開け、前記第２開錠命令に基づいて前記貨物投入口を開けるスイッチ装置と、
を有することを特徴とする運輸設備。
【発明の詳細な説明】
【技術分野】
【０００１】
関連出願の交互引用
本出願は、２０１８年１２月１４日に中国専利局に提出された、出願番号が２０１８１１５３４４７６．８であり、名称が「農産物供給システム及び方法、農産物の取引処理方法」である中国出願に基づいて優先権を主張し、そのすべての内容が参照により本出願に組み込まれる。
【０００２】
本出願は、農産物供給の分野に属し、具体的に、農産物供給システム及び方法、農産物の取引処理方法に関する。
【背景技術】
【０００３】
従来の農産物の取引は、農家が農産物を収穫して中間業者に売り、消費者と中間業者との間で農産物の取引を行うことが一般である。このような取引は、ずいぶん昔から採用されるものであり、比較的成熟している形態になっており、消費者の日常生活の利便性に寄与することができる。
【０００４】
しかし、上記の取引には、消費者が農家に直接接しないため、購入する農産物の産地を確実に把握できない問題がある。
【発明の概要】
【０００５】
本出願の実施例による農産物供給システム及び方法、農産物の取引処理方法は、少なくとも従来の農産物の取引では消費者と農家との直接のつながりのないため農家の利益が比較的に低く、消費者の消費金額が買い取った農産物の価値に見合わない等の技術的問題を解決する。
【０００６】
本出願の実施例の一局面として、農産物供給システムは、消費者端末からの、少なくとも対象農産物の産地を選択するための選択命令を受信し、選択命令に基づいて運輸設備を確定し、消費者端末に、運輸設備に対応する、消費者により運輸設備の貨物取出口を開けるための認証根拠となる認証コードを割り当てるサーバと、対象農産物の産地と対応するものであり、運輸設備に対する身分認証結果を取得し、身分認証結果が認証成功である場合、運輸設備の貨物投入口を開けるための制御命令を生成する監視設備と、対象農産物を格納する運輸設備と、を有する。
【０００７】
好ましくは、監視設備は、運輸設備に対してスキャンを行って運輸設備の第１身分情報を取得し、第１身分情報に基づいて身分認証結果を得る。
【０００８】
好ましくは、監視設備は、さらに、第１身分情報と予め取得した第２身分情報とを照合し、照合結果として一致である場合、運輸設備に対する認証が成功すると判断する。
【０００９】
好ましくは、監視設備は、さらに、サーバから選択命令に基づいて確定された第２身分情報を受信することで第２身分情報を取得する。
【００１０】
好ましくは、前記サーバは、前記消費者端末から送信された選択命令に基づいて、前記対象農産物の産地に対応する監視設備に前記第２身分情報を送信する。
【００１１】
好ましくは、監視設備は、さらに、第１身分情報をサーバに送信し、サーバは、さらに、第１身分情報と、選択命令に基づいて確定された第２身分情報とを照合し、照合結果に基づいて身分認証結果を得るとともに、身分認証結果を監視設備に送信し、照合結果として一致である場合、身分認証結果が認証成功であると判断する。
【００１２】
好ましくは、前記サーバは、具体的に、前記第１身分情報を送信する監視設備の現在位置を取得し、前記監視設備の現在位置と前記選択命令から取得した対象農産物の産地とを照合して認証を行い、認証成功の場合、前記第１身分情報と前記選択命令に基づいて確定された前記第２身分情報とを照合し、照合結果に基づいて前記身分認証結果を得る。
【００１３】
好ましくは、監視設備は、さらに、産地で農産物を収穫する収穫過程のマルチメディア情報を採取、記録し、マルチメディア情報を消費者端末又は前記サーバに送信する。
【００１４】
好ましくは、農産物供給システムは、消費者端末をさらに有し、消費者端末が、さらに、運輸設備又は対象農産物である目標対象における図形マークをスキャンし、スキャン結果に基づいて表示されたインターフェースにおいてマルチメディア情報を表示し、或いは、消費者端末における、対象農産物の注文内容を表示する注文書インターフェースにおいてマルチメディア情報を表示する。
【００１５】
好ましくは、選択命令は、対象農産物に対応する農家情報をさらに含む。
【００１６】
好ましくは、サーバは、さらに、農家情報に基づいて農家情報に対応する移動端末の識別子を確定し、移動端末の識別子が対応する移動端末へ通知メッセージを送信し、該通知メッセージにより、対象農産物を収穫する指示を農家に通知する。
【００１７】
好ましくは、サーバは、さらに、移動端末からの位置情報を受信し、位置情報と産地とを照合し、一致である場合、監視設備に、身分認証結果を取得する命令を送信する。
【００１８】
好ましくは、監視設備は、さらに、運輸設備の貨物投入口が開いた状態で運輸設備が監視設備の監視範囲外に移動されたと検出した場合、警報を発し、
又は、運輸設備が監視設備の監視範囲外に移動されたと検出した場合、運輸設備の貨物投入口を閉めるように制御し、運輸設備が監視範囲内に移動されたと再度検出したとき、運輸設備に対する身分認証結果を再度取得して運輸設備に対して認証を行う。
【００１９】
本出願の実施例によるもう一局面として、農産物供給システムは、監視設備と、対象農産物を格納する運輸設備とを有し、監視設備が、対象農産物の産地と対応するものであり、運輸設備に対する身分認証結果を取得し、身分認証結果が認証成功である場合、運輸設備の貨物投入口を開けるための制御命令を生成する。
【００２０】
好ましくは、監視設備は、さらに、運輸設備の貨物投入口が開いた状態で運輸設備が監視設備の監視範囲外に移動されたと検出した場合、警報を発し、又は、運輸設備が監視設備の監視範囲外に移動されたと検出した場合、運輸設備の貨物投入口を閉めるように制御し、運輸設備が監視範囲内に移動されたと再度検出したとき、運輸設備に対する身分認証結果を再度取得して運輸設備に対して認証を行う。
【００２１】
本出願の実施例によるもう一局面として、農産物供給システムは、サーバと、農家端末と、運輸設備とを有し、サーバが、消費者端末からの、少なくとも対象農産物の産地を選択するための選択命令を受信し、選択命令に基づいて運輸設備を確定し、消費者端末に、運輸設備に対応する、消費者により運輸設備の貨物取出口を開けるための認証根拠となる第１認証コードを割り当て、農家端末が、サーバに位置情報を送信するとともにサーバからの第２認証コードを受信し、第２認証コードに基づいて運輸設備の貨物投入口を開けるように制御し、サーバが、さらに、位置情報と産地とを照合し、一致である場合、第２認証コードを農家端末に送信し、運輸設備が、対象農産物を格納する。
【００２２】
本出願の実施例によるもう一局面として、農産物供給システムは、サーバと、対象農産物を格納する運輸設備とを有し、サーバが、消費者端末からの、少なくとも対象農産物の産地を選択するための選択命令を受信し、選択命令に基づいて運輸設備を確定し、消費者端末に、運輸設備に対応する、消費者により運輸設備の貨物取出口を開けるための認証根拠となる第１認証コードを割り当て、運輸設備が、サーバに運輸設備の位置情報を送信するとともにサーバからの第２認証コードを受信し、第２認証コードに基づいて運輸設備の貨物投入口を開けるように制御し、サーバが、さらに、位置情報と産地とを照合し、一致である場合、第２認証コードを運輸設備に送信する。
【００２３】
本出願の実施例によるさらなる一局面として、農産物の供給方法は、消費者端末からの、少なくとも対象農産物の産地を選択するための選択命令を受信するステップと、選択命令に基づいて対象農産物を格納する運輸設備を確定するステップと、消費者端末へ、運輸設備に対応する、消費者により運輸設備の貨物取出口を開けるための認証根拠となる認証コードを送信するステップとを含む。
【００２４】
好ましくは、上記の方法は、対象農産物の産地に対応する監視設備からの、監視設備が運輸設備をスキャンして取得した身分情報である第１身分情報を受信するステップと、第１身分情報と、選択命令に基づいて確定された第２身分情報とを照合するステップと、照合結果に基づいて運輸設備に対する身分認証結果を得るステップと、運輸設備の貨物投入口を開ける制御命令を生成するための身分認証結果を監視設備に送信するステップとを含む。
【００２５】
本出願の実施例によるさらなる一局面として、農産物の供給方法は、監視設備により運輸設備に対してスキャンを行い、運輸設備の、対象農産物の産地と対応する第１身分情報を取得するステップと、監視設備により第１身分情報に対する認証結果を取得し、認証結果に基づいて運輸設備の貨物投入口の開閉を制御する制御命令を生成するステップと、監視設備により制御命令を運輸設備に送信するステップとを含む。
【００２６】
好ましくは、監視設備により第１身分情報に対する認証結果を取得するステップは、監視設備により、第１身分情報と、予め取得した第２身分情報とを照合し、照合結果に基づいて認証結果を得るように行われ、又は、監視設備により、身分情報をサーバに送信し、サーバによる身分情報の認証結果を受信するように行われる。
【００２７】
好ましくは、前記監視設備により前記第１身分情報に対する認証結果を取得するステップは、監視設備により監視設備の位置情報を受信し、位置情報をサーバに送信するステップと、サーバにより位置情報と産地とを照合し、一致である場合、前記第１身分情報に対して認証を行い、認証結果を監視設備に送信するステップとを含む。
【００２８】
本出願の実施例によるさらなる一局面として、農産物の取引処理方法は、消費者からの、少なくとも対象農産物の産地を選択するための選択命令を受信するステップと、サーバにより産地に基づいて確定された、対象農産物を格納する運輸設備の貨物取出口を開けるための認証根拠となる認証コードを受信するステップと、認証コードに基づいて運輸設備の貨物取出口を開ける制御命令を生成し、制御命令を運輸設備に送信するステップとを含む。
【００２９】
好ましくは、上記の方法は、対象農産物の産地で生成された、対象農産物の産地において対象農産物に対する操作の過程を示すマルチメディア情報を受信するステップと、マルチメディア情報を表示するステップとをさらに含む。
【００３０】
好ましくは、対象農産物の産地で生成されたマルチメディア情報を受信するステップは、運輸設備又は対象農産物である目標対象における図形マークをスキャンし、スキャン結果に基づいて表示されたインターフェースにおいてマルチメディア情報を表示するように行われ、又は、消費者端末における、対象農産物の注文内容を示す注文書インターフェースにおいてマルチメディア情報を表示するように行われる。
【００３１】
好ましくは、選択命令は、対象農産物と対応する農家情報をさらに含む。
【００３２】
本出願の実施例によるさらなる一局面として、対象農産物を格納する運輸設備は、対象農産物を格納し、貨物取出口と貨物投入口が設けられる格納室と、消費者端末からの第１開錠命令と、対象農産物の産地に対応する監視設備からの第２開錠命令とを受信する送受信回路と、第１開錠命令に基づいて貨物取出口を開け、第２開錠命令に基づいて貨物投入口を開けるスイッチ装置とを有する。
【００３３】
本出願の実施例による農産物供給システムは、消費者端末からの、少なくとも対象農産物の産地を選択するための選択命令を受信し、選択命令に基づいて運輸設備を確定し、消費者端末に、運輸設備に対応する、消費者により運輸設備の貨物取出口を開けるための認証根拠となる認証コードを割り当てるサーバと、象農産物の産地と対応するものであり、運輸設備に対する身分認証結果を取得し、身分認証結果が認証成功である場合、運輸設備の貨物投入口を開けるための制御命令を生成する監視設備と、対象農産物を格納する運輸設備と、を有する。サーバ、監視設備及び運輸設備の協働によって、消費者が、購入する農産物が自分の選定した産地からのものであることを確認でき、消費者と農家との直接のつながりを築くので、農産物の取引において、下記の技術的效果が実現される。消費者と農家との信頼関係を効果的に築くことができ、利益の一部を消費者に還元して間接的に消費者の生活の質を向上させることができる。そして、従来の農産物の取引では消費者と農家との直接のつながりのないため農家の利益が比較的に低く、消費者の消費金額が買い取った農産物の価値に見合わない技術的問題を解決することができる。
【図面の簡単な説明】
【００３４】
ここで、説明する図面は、本出願の一部として、本出願に対する理解のためのものであり、本出願の例示的な実施例及びその説明は、本出願を解釈するためのものであり、いずれも本出願を限定するものではない。
【図１】本出願の実施例による農産物供給システムの構成図である。
【図２】本出願の実施例によるその他の農産物供給システムの構成図である。
【図３】本出願の実施例によるその他の農産物供給システムの構成図である。
【図４】本出願の実施例によるその他の農産物供給システムの構成図である。
【図５】本出願の実施例による農産物の供給方法のフローチャートである。
【図６】本出願の実施例によるその他の農産物の供給方法のフローチャートである。
【図７】本出願の実施例による農産物の取引処理方法のフローチャートである。
【図８】本出願の実施例による運輸設備の構成図である。
【発明を実施するための形態】
【００３５】
当業者に本出願の技術案をよりよく理解させるため、以下、本出願の実施例に用いられる図面を参照しながら、本出願の実施例における技術案を明瞭かつ完全に説明する。説明する実施例は本出願の一部の実施例にすぎず、すべての実施例ではないことが無論である。本出願の実施例をもとに、当業者が発明能力を用いることなく得られたすべてのその他の実施例も、本出願の保護範囲に属する。
【００３６】
なお、本出願の明細書及び特許請求の範囲及び図面における「第１」、「第２」等の用語は、類似の対象を区別するためのものすぎず、特定の順序又は順位を限定するものではない。また、これらの内容を適当に互いに入れ替えることができ、つまり、ここで説明する本出願の実施例を図示又は説明する順序以外の順序で実施することができる。また、用語「含む」、「有する」及びその類義語は、非排他的包含を網羅することが意図される。例えば、一連のステップ又はユニットを含むプロセス、方法、システム又は設備は、必ずしもこれらの明記した要素のみに限定されず、明記されない、またはこれらのプロセス、方法、製品又は設備に対して固有のその他の要素を含んでもよい。
【００３７】
本出願の実施例は、農産物供給システムを提供するものである。なお、図面のフローチャートに示すステップは、例えばコンピュータ実行可能な命令を含むコンピュータシステムで実行されることが可能である。そして、フローチャートにおいて実施順序が示されたが、ある状況では、示された又は説明されたステップをその順序と異なる順序で実行されることが可能である。
【００３８】
図１は、本実施例による農産物供給システムの構成図である。図１に示すように、該システムは、サーバ１０と、監視設備１２と、運輸設備１４とを有する。
【００３９】
サーバ１０は、消費者端末からの、少なくとも対象農産物の産地を選択するための選択命令を受信し、選択命令に基づいて運輸設備１４を確定し、消費者端末に、運輸設備１４に対応する、消費者が運輸設備１４の貨物取出口を開けるための認証根拠となる認証コードを割り当てる。
【００４０】
本実施例の好ましい例では、農産物の取引において、消費者がある農家又はある畑（国、省、市等の地区から自家田畑までを含む）の野菜／果物等の農産物を購入するとき、貨物箱を運輸設備とすることができる。消費者が移動端末におけるソフトウェア又はウィーチャット（ＷｅＣｈａｔ）の公式アカウントを通して、購入しようとする農産物を選択し、注文したあと、サーバ１０が自動的に該注文書に１つの貨物箱を割り当てる。ここで、貨物箱に２次元コード又はバーコードが設置され、該２次元コード又はバーコードが該注文書と一意に対応する。ただし、該２次元コード又はバーコードと注文書との対応関係は、時効性があり、例えば、消費者の注文が完了したあと、２時間以内に支払いを済ませなかった場合、上記の対応関係が失効になってしまい、つまり、消費者の注文において一定の既設期間内に支払いを済ませない場合、サーバ１０が該貨物箱を新たな注文書に割り当てることができる。
【００４１】
消費者が支払いを済ませたあと、サーバ１０が消費者に、貨物箱に対応する認証コードを送信し、貨物箱が届いたあと、消費者が該認証コードを使わなければ貨物箱を開けることができない。例えば、貨物箱が届いたあと、消費者が貨物箱における２次元コード又はバーコードをスキャンして認証コードを入力すると貨物箱を開けることができる。貨物箱における貨物取出口と貨物投入口は同一ものであってもよい。これによって運輸中に貨物がすり替えられることや人為的損壊を防ぐことができる。
【００４２】
監視設備１２は、対象農産物の産地と対応するものであり、運輸設備１４に対する身分認証結果を取得し、身分認証結果が認証成功となった場合、運輸設備１４の貨物投入口を開けるための制御命令を生成する。
【００４３】
本実施例の好ましい例では、監視設備１２が、田畑の中又は田畑のそばに設置され、太陽電池パネルにより電気供給されるものであってもよい。該監視設備１２は、撮影及びスキャンの機能を備えるとともに、サーバ１０と通信接続される。農家により貨物箱が田畑に運ばれたあと、監視設備１２が貨物箱をスキャンして認証し、認証成功の場合、貨物箱をあけるように制御する制御命令を生成する。
【００４４】
運輸設備１４は、対象農産物を格納するものである。
【００４５】
運輸設備１４は、上記の貨物箱であり、ここで、貨物箱は貯蔵、消毒、鮮度保持等の機能を備えるものである。消費者の農産物の購入量が比較的多い場合、配達コストを抑えるため、農産物を積載するトラックを運輸設備１４としてもよい。トラックは複数の貨物箱を積載することが可能である。
【００４６】
本実施例は、運輸設備１４の貨物投入口又は貨物取出口に電子錠を設置することが可能である。一例として、運輸設備は、サーバ１０、監視設備１２又は消費者の端末の制御により貨物投入口又は貨物取出口を開けるように、サーバ１０、監視設備１２又は消費者の端末と情報のやり取りを行うことが可能である。もう一例として、運輸設備の電子錠が入力ユニットを有してもよい。農家又は消費者は、監視設備１２又は移動端末により運輸設備に対応する認証コードを取得したあと、入力ユニットを介して認証コードを入力することで運輸設備１４の貨物投入口又は貨物取出口を開けることができる。なお、サーバ１０の制御により同一の運輸設備１４に対して認証コードを変化させることができる。
【００４７】
農産物の取引において、該農産物供給システムによって、下記の技術的效果を実現することができる。
【００４８】
サプライチェーンの上流（野菜畑／果樹園等）において、購入しようとする野菜又は果物と指定された田畑との確実な対応関係を保証することができ、全過程に亘って視認できるとともに収穫過程を動画として消費者へ提供できるので、消費者は、購入する農産物が確実に自分の選定した対象産地からのものであることを確認することができる。
【００４９】
中間の運輸段階において、貨物のすり替えを避けることができ、貨物箱がサプライチェーンの上流側又は消?者の端末によってでしか開けられない。
【００５０】
また、消費者端末は、消費者の要求を満たすように設けることが可能である。例えば、全過程に亘って監視可能な案に基づいて、消費者に選択可能な収穫時間を提供することが可能である。
【００５１】
上記のシステムによって、消費者と農家との信頼関係を効果的に築くことができ、利益の一部を消費者に還元して間接的に消費者の生活の質を向上させることができる。
【００５２】
本実施例の好ましい例では、監視設備１２が、運輸設備１４に対してスキャンを行って運輸設備１４の第１身分情報を取得し、第１身分情報に基づいて身分認証結果を得る。
【００５３】
本実施例の好ましい例では、監視設備１２は、第１身分情報と予め取得した第２身分情報とを照合し、照合結果が一致である場合、運輸設備１４が認証成功であると判断する。
【００５４】
好ましくは、監視設備１２は、サーバ１０から選択命令に基づいて確定された第２身分情報を受信することで第２身分情報を取得する。つまり、消費者が注文して支払いを済ませたあと、サーバ１０が貨物箱と注文書との対応関係及び注文書情報等のデータを監視設備１２に送信する。
【００５５】
好ましくは、前記サーバは、前記消費者端末から送信された選択命令に基づいて、前記対象農産物の産地に対応する監視設備に前記第２身分情報を送信する。したがって、対象農産物の産地における監視設備１２のみが第２身分情報を取得でき、そして、前記身分認証結果が認証成功となった場合、前記運輸設備の貨物投入口を開けるための制御命令を生成する。これによって、対象農産物の産地のみで運輸設備１４を開けて貨物を装入することができる。
【００５６】
本実施例の好ましい例では、農家により貨物箱が田畑に運ばれたあと、監視設備１２で貨物箱における２次元コード又はバーコードをスキャンし、貨物箱の身分情報を取得し、そしてこの前に受信したサーバ１０からの貨物箱と注文書との対応関係及び注文書情報と照合させ、貨物箱の身分情報と一致する場合、貨物箱の身分認証が成功すると判断し、貨物箱を開けるように制御する制御命令を生成する。
【００５７】
上記の機能によって、購入しようとする農産物と指定した農産物の産地との確実な対応関係を保証できる。
【００５８】
好ましくは、本実施例のもう一例は、監視設備１２が、第１身分情報をサーバ１０に送信する。サーバ１０は、第１身分情報と、選択命令に基づいて確定された第２身分情報とを照合し、照合結果に基づいて身分認証結果を得るとともに、身分認証結果を監視設備１２に送信する。ここで、照合結果が一致である場合、身分認証結果が認証成功であると判断する。
【００５９】
例えば、農家により貨物箱が田畑に運ばれたあと、監視設備１２で貨物箱における２次元コード又はバーコードをスキャンし、貨物箱の身分情報を取得したあと、スキャンして取得した貨物箱の身分情報をサーバ１０に送信する。サーバ１０は、貨物箱の身分情報を取得したあと、サーバに記憶されている貨物箱の身分情報と照合させ、２つの身分情報が一致となる場合、貨物箱の身分認証が成功すると判断し、監視設備１２へ貨物箱の身分情報に対する認証成功の情報を送信する。
【００６０】
好ましくは、前記サーバ１０は、具体的に、前記第１身分情報を送信する監視設備１２の現在位置を取得し、監視設備１２の現在位置と前記選択命令から取得した対象農産物の産地とを照合して認証を行い、認証成功の場合、前記第１身分情報と前記選択命令に基づいて確定された前記第２身分情報とを照合し、照合結果に基づいて前記身分認証結果を得る。これによって、サーバ１０により運輸設備１４が対象農産物の産地における監視設備１２にスキャンされたものであるか否かを確認できるので、対象農産物の産地のみで運輸設備１４を開けて貨物を装入することを保証できる。
【００６１】
好ましくは、監視設備１２は、産地で農産物を収穫する収穫過程のマルチメディア情報を採取、記録し、マルチメディア情報を消費者端末に送信する。これによって、消費者は、マルチメディア情報から、購入した農産物が確実に選定した産地で収穫されたものであることを確認できる。
【００６２】
本実施例の好ましい例では、消費者端末が、運輸設備又は対象農産物である目標対象における図形マークをスキャンし、スキャン結果に基づいて表示されたインターフェースにマルチメディア情報を表示し、或いは、消費者端末における、対象農産物の注文内容を表示する注文書インターフェースにマルチメディア情報を表示する。
【００６３】
本実施例の好ましい例では、監視設備１２がスキャンして認証成功となる場合、貨物箱を開け、監視設備１２で、農家が収穫した農産物を貨物箱に入れ、収穫完了後、貨物箱を閉めるまでの過程を「監視」する。全過程は、監視設備１２により撮影され、サーバ１０により該貨物箱が対応する注文書に係る消費者にプッシュされる。また、プッシュせずに、消費者の必要に応じて端末におけるＡＰＰ又はウィーチャットの公式アカウントから取得するような方式にしてもよい。また、消費者が移動端末で貨物箱における２次元コード又は農産物における２次元コードをスキャンすることで、移動端末におけるソフトウェアに、収穫動画を見るか見ないかの選択肢を有するインターフェースが表示されるように構成されてもよい。または、消費者が、注文書のインターフェースにおける収穫動画のリンクをアクセスして動画を見る、又は注文書のインターフェースにおけるビデオボックスで収穫動画を見るように構成されてもよい。
【００６４】
該機能によって、農産物収穫の全過程を視認可能にすることができる。
【００６５】
本実施例の好ましい例では、選択命令は、農家が選択可能となるように、対象農産物に対応する農家情報をさらに含む。
【００６６】
好ましくは、サーバ１０は、農家情報に基づいて農家情報に対応する移動端末の識別子を確定し、移動端末の識別子が対応する移動端末へ通知メッセージを送信する。ここで、該通知メッセージは、対象農産物を収穫する指示を農家に通知するものである。サーバ１０には、農家情報に対応する移動端末の識別子が予め記憶される。該識別子は、移動端末の身分を証明できる唯一の識別情報であり、例えば、国際移動端末の識別番号（ＩＭＥＩ）であってもよい。
【００６７】
本実施例の好ましい例では、消費者が注文する際に生成された注文書情報に、購入しようとする農産物に対応する農家情報がさらに含まれる。消費者が注文して支払いを済ませたあと、購入した農産物を現時点で収穫して欲しくない場合、移動端末により農産物を現時点で収穫せず数日後に収穫するという指示を送信することが可能である。サーバ１０は、該命令を受信したあと、農家情報から該農家情報における該農家の携帯電話番号のような連絡先を取得し、そして受信した命令を農家の携帯電話を通して農家に転送し、該注文書における農産物に対する希望収穫時間を農家に通知する。
【００６８】
該機能によって、消費者に収穫時間を提供することができ、消費者が適宜の収穫時間を選択することが可能になり、ユーザーフレンドリーなサービスを提供することができる。
【００６９】
好ましくは、サーバ１０は、移動端末が送信した位置情報を受信し、位置情報と産地とを照合し、一致である場合、監視設備１２に、身分認証結果を取得する命令を送信する。
【００７０】
本実施例の好ましい例では、農家が監視設備１２で貨物箱を認証するとき、サーバ１０は、リアルタイムに農家の位置情報を取得し、そして農産物の産地情報と照合させ、一致である場合、認証成功となり、監視設備１２に貨物箱を開ける命令を生成させる。
【００７１】
上記の機能によって、購入しようとする農産物と指定された農産物の産地との確実な対応関係をさらに保証することができる。
【００７２】
本実施例の好ましい例では、監視設備１２が、運輸設備の貨物投入口が開いた状態で運輸設備が監視設備の監視範囲外に移動されたと検出した場合、警報を発し、又は、運輸設備が監視設備の監視範囲外に移動されたと検出した場合、運輸設備の貨物投入口を閉めるように制御し、運輸設備が監視範囲内に移動されたと再度検出したとき、運輸設備に対する身分認証結果を再度取得して運輸設備に対して認証を行う。即ち、運輸設備は閉まる前に監視設備１２のカメラ監視範囲から離れる場合、監視設備１２が警報を発する又は直接運輸設備１４を閉めるように制御し、再度スキャンして認証しなければ運輸設備１４の貨物投入口を開けることができない。
【００７３】
なお、本実施例では、運輸設備の貨物投入口と貨物取出口とが同一の開口であってもよい。具体的には、両者は同一の蓋を開けて現れる開口である。
【００７４】
図２は、本実施例によるその他の農産物供給システムの構成図である。該システムは、図２に示すように、監視設備１２と、対象農産物を格納する運輸設備１４とを有する。
【００７５】
監視設備１２は、対象農産物の産地と対応するものであり、運輸設備に対する身分認証結果を取得し、身分認証結果が認証成功となった場合、運輸設備の貨物投入口を開けるための制御命令を生成する。
【００７６】
本実施例の一部の例は、操作の真実性を保つため、監視設備１２は、運輸設備の貨物投入口が開いた状態で運輸設備が監視設備の監視範囲外に移動されたと検出した場合、警報を発し、又は、運輸設備が監視設備の監視範囲外に移動されたと検出した場合、運輸設備の貨物投入口を閉めるように制御し、運輸設備が監視範囲内に移動されたと再度検出したとき、運輸設備に対する身分認証結果を再度取得して運輸設備に対して認証を行う。
【００７７】
なお、図２に示す実施例の好ましい実施形態について、図１に示す実施例に関する記載を参照できるので、ここで説明を省略する。
【００７８】
図３は、本実施例によるその他の農産物供給システムの構成図である。該システムは、図３に示すように、サーバ１０と、農家端末１６と、運輸設備１４とを有する。
【００７９】
サーバ１０は、消費者端末からの、少なくとも対象農産物の産地を選択するための選択命令を受信し、選択命令に基づいて運輸設備１４を確定し、消費者端末に、運輸設備１４に対応する、消費者が運輸設備１４の貨物取出口を開けるための認証根拠となる第１認証コードを割り当てる。
【００８０】
本実施例の好ましい例では、農産物の取引において、消費者がある農家又はある畑（国、省、市等の地区から自家田畑までを含む）の野菜／果物等の農産物を購入するとき、貨物箱を運輸設備とすることができる。消費者が移動端末におけるソフトウェア又はウィーチャットの公式アカウントを通して、購入しようとする農産物を選択し、注文したあと、サーバ１０が自動的に該注文書に１つの貨物箱を割り当てる。ここで、貨物箱に２次元コード又はバーコードが設置され、該２次元コード又はバーコードと該注文書とが一意に対応する。ただし、該２次元コード又はバーコードと注文書との対応関係は、時効性があり、例えば、消費者の注文が完了したあと、２時間以内に支払いを済ませなかった場合、上記の対応関係が失効になってしまい、つまり、消費者の注文において一定の既設期間内に支払いを済ませない場合、サーバ１０が該貨物箱を新たな注文書に割り当てることができる。
【００８１】
消費者が支払いを済ませたあと、サーバ１０が消費者に、貨物箱に対応する認証コードを送信し、貨物箱が届いたあと、消費者が該認証コードを使わなければ貨物箱を開けることができない。例えば、貨物箱が届いたあと、消費者が貨物箱における２次元コード又はバーコードをスキャンして認証コードを入力すると貨物箱を開けることができる。貨物箱における貨物取出口と貨物投入口とは同一ものであってもよい。これによって運輸中に貨物がすり替えられることや人為的損壊を防ぐことができる。
【００８２】
農家端末１６は、サーバ１０に位置情報を送信するとともにサーバ１０からの第２認証コードを受信し、第２認証コードに基づいて運輸設備１４の貨物投入口を開けるように制御する。サーバ１０は、位置情報と産地とを照合し、一致である場合、第２認証コードを農家端末１６に送信する。
【００８３】
本実施例の好ましい例では、農家は、監視設備１２を通して貨物箱に対して認証を行うとき、農家端末１６を通して自分の現在位置情報をサーバ１０に送信する必要がある。サーバ１０は、農家端末１６からの位置情報を受信したあと、農産物の産地情報と照合させ、一致である場合、認証成功となり、農家端末１６に認証コードを送信する。農家は、認証コードを用いて貨物箱を開けることができる。
【００８４】
運輸設備１４は、対象農産物を格納するものである。
【００８５】
運輸設備１４は、上記の貨物箱であり、ここで、貨物箱が貯蔵、消毒、鮮度保持等の機能を備えるものである。消費者の農産物の購入量が比較的に多い場合、配達コストを抑えるため、農産物を積載するトラックを運輸設備１４としてもよい。トラックが複数の貨物箱を積載することが可能である。
【００８６】
本実施例の好ましい例では、運輸設備１４に位置測定機能を備える電子錠が設置されることが可能である。該電子錠は、通信機能を備え、農家が貨物箱を開けるとき、電子錠が、測定した位置情報をサーバ１０に送信するようにトリガされ、農産物の収穫位置情報に対してさらに認証を行う。
【００８７】
ここで、図３に示す実施例の好ましい実施形態について、図１に示す実施例に関する記載を参照できるので、ここで説明を省略する。
【００８８】
図４は、本実施例によるその他の農産物供給システムの構成図である。該システムは、図４に示すように、サーバ１０と、対象農産物を格納する運輸設備１４とを有する。
【００８９】
サーバ１０は、消費者端末からの、少なくとも対象農産物の産地を選択するための選択命令を受信し、選択命令に基づいて運輸設備１４を確定し、消費者端末に、運輸設備１４に対応する、消費者が運輸設備１４の貨物取出口を開けるための認証根拠となる第１認証コードを割り当る。
【００９０】
本実施例の好ましい例では、農産物の取引において、消費者がある農家又はある畑（国、省、市等の地区から自家田畑までを含む）の野菜／果物等の農産物を購入するとき、貨物箱を運輸設備とすることができる。消費者が移動端末におけるソフトウェア又はウィーチャットの公式アカウントを通して、購入しようとする農産物を選択し、注文したあと、サーバ１０が自動的に該注文書に１つの貨物箱を割り当てる。ここで、貨物箱に２次元コード又はバーコードが設置され、該２次元コード又はバーコードと該注文書と一意対応する。ただし、該２次元コード又はバーコードと注文書との対応関係は、時効性があり、例えば、消費者の注文が完了したあと、２時間以内に支払いを済ませなかった場合、上記の対応関係が失効になってしまい、つまり、消費者の注文において一定の既設期間内に支払いを済ませない場合、サーバ１０が該貨物箱を新たな注文書に割り当てることができる。
【００９１】
消費者が支払いを済ませたあと、サーバ１０が消費者に、貨物箱に対応する認証コードを送信し、貨物箱が届いたあと、消費者が該認証コードを使わなければ貨物箱を開けることができない。例えば、貨物箱が届いたあと、消費者が貨物箱における２次元コード又はバーコードをスキャンして認証コードを入力すると貨物箱を開けることができる。貨物箱における貨物取出口と貨物投入口とが同一ものであってもよい。これによって運輸中に貨物がすり替えられることや人為的損壊を防ぐことができる。
【００９２】
運輸設備１４は、サーバ１０に運輸設備の位置情報を送信するとともにサーバからの第２認証コードを受信し、第２認証コードに基づいて運輸設備１４の貨物投入口を開けるように制御する。サーバ１０は、位置情報と産地とを照合し、一致である場合、第２認証コードを運輸設備１４に送信する。
【００９３】
運輸設備１４は、上記の貨物箱であり、ここで、貨物箱が貯蔵、消毒、鮮度保持等の機能を備えるものである。消費者の農産物の購入量が比較的に多い場合、配達コストを抑えるため、農産物を積載するトラックを運輸設備１４としてもよい。トラックが複数の貨物箱を積載することが可能である。
【００９４】
本実施例の好ましい例では、運輸設備１４は、位置測定機能と通信機能とを備え、農家が農産物の収穫区域に到着したあと、運輸設備１４が、測定した現在位置情報をサーバ１０に送信するようにトリガされる。サーバ１０は、運輸設備１４からの位置情報を受信したあと、農産物の産地情報と照合させ、一致である場合、認証成功となり、サーバ１０が、運輸設備１４を自動的に開ける制御命令を送信する。
【００９５】
図５は、本実施例による農産物の供給方法的フローチャートである。該方法は、図５に示すように、
消費者端末からの、少なくとも対象農産物の産地を選択するための選択命令を受信するステップＳ５０２と、
選択命令に基づいて対象農産物を格納する運輸設備を確定するステップＳ５０４と、
消費者端末へ、運輸設備に対応する、消費者が運輸設備の貨物取出口を開けるための認証根拠となる認証コードを送信するステップＳ５０６とを含む。
【００９６】
ステップＳ５０２〜ステップＳ５０６による農産物の供給方法によって、消費者が移動端末におけるソフトウェア又はウィーチャットの公式アカウントを通して、購入しようとする農産物を選択して注文する。ここで、注文書情報に購入する農産物の産地情報が含まれる。消費者が注文したあと、自動的に該注文書に１つの貨物箱を割り当てる。ここで、貨物箱に２次元コード又はバーコードが設置され、該２次元コード又はバーコードと該注文書とは一意に対応する。ただし、該２次元コード又はバーコードと注文書との対応関係は、時効性があり、例えば、消費者の注文が完了したあと、２時間以内に支払いを済ませなかった場合、上記の対応関係が失効になってしまい、つまり、消費者の注文において一定の既設期間内支払いを済ませない場合、該貨物箱を新たな注文書に割り当てることができる。
【００９７】
消費者が支払いを済ませたあと、消費者に、貨物箱に対応する認証コードを送信し、貨物が届いたあと、消費者が該認証コードを使わなければ貨物箱を開けることができない。例えば、貨物箱が届いたあと、消費者が貨物箱における２次元コード又はバーコードをスキャンして認証コードを入力すると貨物箱を開けることができる。貨物箱における貨物取出口と貨物投入口は同一ものであってもよい。これによって運輸中に貨物がすり替えられることや人為的損壊を防ぐことができる。
【００９８】
本実施例の好ましい例では、上記の方法は、対象農産物の産地に対応する監視設備からの、監視設備が運輸設備をスキャンして取得した身分情報である第１身分情報を受信するステップと、第１身分情報と、選択命令に基づいて確定された第２身分情報とを照合するステップと、照合結果に基づいて運輸設備に対する身分認証結果を得るステップと、運輸設備の貨物投入口を開ける制御命令を生成するための身分認証結果を監視設備に送信するステップとを含む。
【００９９】
農家により貨物箱が田畑に運ばれたあと、監視設備は、貨物箱における２次元コード又はバーコードをスキャンし、貨物箱の身分情報を取得し、スキャンして取得した貨物箱の身分情報をサーバに送信する。サーバは、貨物箱の身分情報を取得したあと、サーバに記憶されている貨物箱の身分情報と照合させ、一致である場合、貨物箱の身分認証が成功すると判断し、監視設備へ貨物箱の身分情報の認証成功の通知を送信し、監視設備により貨物箱を開ける制御命令が生成される。なお、監視設備は、田畑の中又は田畑のそばに設置され、太陽電池パネルにより電気供給されるものであってもよい。該監視設備は、撮影及びスキャンの機能を備えるとともに、サーバと通信接続される。
【０１００】
図６は、本実施例による農産物の供給方法のフローチャートである。該方法は、図６に示すように、
監視設備により運輸設備に対してスキャンを行い、運輸設備の第１身分情報を取得するステップＳ６０２と、
監視設備により第１身分情報に対する認証結果を取得し、認証結果に基づいて運輸設備の貨物投入口の開閉を制御する制御命令を生成するステップＳ６０４と、
監視設備により制御命令を運輸設備に送信するステップＳ６０６とを含む。
【０１０１】
ステップＳ６０２〜ステップＳ６０６によるその他の農産物の供給方法によって、監視設備は、貨物箱における２次元コード又はバーコードをスキャンし、貨物箱の身分情報を取得し、そして取得した身分情報に対して認証を行い、貨物箱の身分情報が認証成功となる場合、監視設備が、貨物箱を開ける制御命令を生成するとともに、該制御命令を貨物箱に送信し、これによって貨物箱が開けられる。なお、監視設備は、田畑の中又は田畑のそばに設置され、太陽電池パネルにより電気供給されるものであってもよい。該監視設備は、撮影及びスキャンの機能を備えるとともに、サーバと通信接続される。
【０１０２】
本実施例の好ましい例では、ステップＳ６０４は、監視設備により、第１身分情報と、予め取得した第２身分情報とを照合するステップと、照合結果に基づいて認証結果を得るステップと、監視設備により身分情報をサーバに送信するステップと、監視設備によりサーバからの身分情報の認証結果を受信するステップとを含む。
【０１０３】
本実施例の好ましい例では、監視設備によりスキャンして取得した貨物箱の身分情報をサーバに送信してもよい。サーバが、貨物箱の身分情報を受信したあと、サーバに記憶されている貨物箱の身分情報と照合させ、一致である場合、貨物箱の身分認証が成功すると判断し、監視設備へ貨物箱の身分情報の認証成功の通知を送信し、監視設備が貨物箱を開ける制御命令を生成する。
【０１０４】
本実施例の好ましい例では、ステップＳ６０４において、監視設備は、監視設備の位置情報を受信し、位置情報をサーバに送信してもよい。サーバは、位置情報と産地とを照合し、一致である場合、前記第１身分情報に対して認証を行い、認証結果を監視設備に送信する。
【０１０５】
本実施例の好ましい例では、監視設備が自分の位置情報をサーバに送信してもよい。サーバが監視設備の位置情報を受信して農産物の産地情報と照合させ、照合結果を監視設備に送信する。
【０１０６】
図７は、本実施例による農産物の取引処理方法のフローチャートである。該方法は、図７に示すように、
消費者からの、少なくとも対象農産物の産地を選択するための選択命令を受信するステップＳ７０２と、
サーバが産地に基づいて確定された、対象農産物を格納する運輸設備の貨物取出口を開けるための認証根拠となる認証コードを受信するステップＳ７０４と、
認証コードに基づいて運輸設備の貨物取出口を開ける制御命令を生成し、制御命令を運輸設備に送信するステップＳ７０６とを含む。
【０１０７】
ステップＳ７０２〜ステップＳ７０６による農産物の取引処理方法によって、消費者が移動端末におけるソフトウェア又はウィーチャットの公式アカウントを通して、購入しようとする農産物を選択し、注文したあと、自動的に該注文書に１つの貨物箱を割り当てる。ここで、貨物箱に２次元コード又はバーコードが設置され、該２次元コード又はバーコードと該注文書とは一意に対応する。
【０１０８】
消費者が支払いを済ませたあと、サーバが消費者に、貨物箱に対応する認証コードを送信し、貨物が届いたあと、消費者が該認証コードを使わなければ貨物箱を開けることができない。例えば、貨物箱が届いたあと、消費者が貨物箱における２次元コード又はバーコードをスキャンして認証コードを入力すると貨物箱を開けることができる。貨物箱における貨物取出口と貨物投入口は同一ものであってもよい。これによって運輸中に貨物がすり替えられることや人為的損壊を防ぐことができる。
【０１０９】
本実施例の好ましい例では、上記の方法は、対象農産物の産地で生成した、対象農産物の産地において対象農産物に対する操作の過程を示すマルチメディア情報を受信するステップと、マルチメディア情報を表示するステップとをさらに含む。
【０１１０】
本実施例の好ましい例では、対象農産物の産地で生成したマルチメディア情報を受信するステップは、運輸設備又は対象農産物である目標対象における図形マークをスキャンし、スキャン結果に基づいて表示されたインターフェースにおいてマルチメディア情報を表示するように行われ、又は、消費者端末における、対象農産物の注文内容を示す注文書インターフェースにおいてマルチメディア情報を表示するように行われる。
【０１１１】
好ましくは、選択命令は、対象農産物と対応する農家情報をさらに含む。
【０１１２】
本実施例の好ましい例では、貨物箱を開けたあと、監視設備で、農家が収穫した農産物を貨物箱に入れ、収穫完了後、貨物箱を閉めるまでの過程を「監視」する。全過程は、監視設備により撮影され、サーバにより該貨物箱が対応する注文書に係る消費者にプッシュされる。また、プッシュせずに、消費者の必要に応じて端末におけるＡＰＰ又はウィーチャットの公式アカウントから取得するような方式にしてもよい。消費者が移動端末で貨物箱における２次元コード又は農産物における２次元コードをスキャンすることで、移動端末におけるソフトウェアに、収穫動画を見るか見ないかの選択肢を有するインターフェースが表示されるように構成されてもよい。または、消費者が、注文書のインターフェースにおける収穫動画のリンクをアクセスして動画を見る、又は注文書のインターフェースにおけるビデオボックスで収穫動画を見るように構成されてもよい。
【０１１３】
該機能によって、農産物収穫の全過程を視認可能にすることができる。
【０１１４】
図８は、本実施例による運輸設備の構成図である。該運輸設備は、図８に示すように、
対象農産物を格納し、貨物取出口と貨物投入口が設けられる格納室８０と、
消費者端末からの第１開錠命令と、対象農産物の産地に対応する監視設備からの第２開錠命令とを受信する送受信回路８２と、
第１開錠命令に基づいて貨物取出口を開け、第２開錠命令に基づいて貨物投入口を開けるスイッチ装置８４とを有する。
【０１１５】
本実施例では、各実施例に対する説明は、偏りがあり、ある実施例で詳細に記載しない部分について、その他の実施例に関する記載を参照することができる。
【０１１６】
本実施例において、開示された技術は、他の方式で実現されてもよいことが理解されるべきである。例えば、上述のような装置の実施例は、単なる例にすぎず、例えば、前記ユニットの区分は、単なる論理的な機能による区分であり、実際に実現するときは他の区分方式であってもよく、例えば、複数のユニット又はコンポーネントが組み合わせられたり、又は他のシステムに集積されてもよく、或いは幾つかの特徴が省略されたり、又は実行されなくてもよい。一方、示された又は解説された相互間の結合又は直接的な結合又は通信接続は、幾つかのインターフェイス、ユニット又はモジュールによる間接的な結合又は通信接続であってもよく、電気的又は他の形態であってもよい。
【０１１７】
前記ディスクリート部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のユニット上に分散されてもよい。実際の需要に応じて、一部又は全部のユニットを選択し、本実施例の目的を実現することができる。
【０１１８】
なお、本発明の各実施例に係る各機能ユニットは、１つの処理ユニットに集積されていてもよく、各ユニットが単独に物理的に存在していてもよく、２つ又は２つ以上のユニットが１つのユニットに集積されていてもよい。上記の集積されたユニットは、ハードウェアで実現されてもよく、ソフトウェアによる機能ユニットで実現されてもよい。
【０１１９】
前記集積されたユニットがソフトウェア機能ユニットの形で実現され、且つ独立した製品として販売又は使用される場合には、１つのコンピュータ読み取り可能な記録媒体に記憶されることができる。このような理解に基づき、本発明の技術手段は本質的に、従来技術に貢献した一部又はこの技術手段の全部或いは一部がソフトウェアプロダクトの状態で具現化されることができ、このコンピュータソフトウェアプロダクトは、１つの記録媒体に記憶され、１台のコンピュータ機器（パーソナルコンピュータ、サーバ、又はネットワーク機器等であってもよい）に本発明の各実施例に記載の方法のステップの全部又は一部を実行させる命令を備える。ここで、前述の記録媒体は、ＵＳＢメモリ、読み取り専用メモリ（Ｒｅａｄ  Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、モバイルハードディスク、磁気ディスク、又は光ディスク等のプログラムコードを記憶可能な様々な媒体を含む。
【０１２０】
上記の記載は本出願の好ましい実施形態にすぎない。当業者にとって、本出願の原理から逸脱しない限り、いくつの改良や改善を行うことができ、これらの改良及び改善も本出願の保護範囲に属する。
【産業上の利用可能性】
【０１２１】
本実施例は、農産物供給システム及び方法、農産物の取引処理方法を提供する。サーバ、監視設備及び運輸設備の協働によって、消費者が、購入する農産物が自分の選定した産地からのものであることを確認でき、運輸過程において購入した農産物のすり替えがないことを保証できる。したがって、消費者と農家との直接のつながりを築き、消費者と農家との信頼関係を向上させることができ、利益の一部を消費者に還元して間接的に消費者の生活の質を向上させることができる。そして、従来の農産物の取引では消費者と農家との直接のつながりのないため農家の利益が比較的に低く、消費者の消費金額が買い取った農産物の価値に見合わない技術的問題を解決することができる。
【図１】
2021501937.tif 000003
【図２】
2021501937.tif 000004
【図３】
2021501937.tif 000005
【図４】
2021501937.tif 000006
【図５】
2021501937.tif 000007
【図６】
2021501937.tif 000008
【図７】
2021501937.tif 000009
【図８】
2021501937.tif 000010
【国際調査報告】
2021501937.tif 000011
2021501937.tif 000012
2021501937.tif 000013
2021501937.tif 000014